(57)【特許請求の範囲】
【請求項１】
現金取引を行う現金取引装置であって、
現金取引の運用のために現金を保管する複数の取引モジュールを、前記現金取引の運用からそれぞれ個別に除外可能として備えた上で、
前記複数の取引モジュールのうちの少なくとも一つの取引モジュールを前記現金取引の運用から除外する運用除外部と、
前記現金取引の運用から除外されなかった前記取引モジュールのうち、前記除外された前記取引モジュールと代替え可能な前記取引モジュールを用いた前記現金取引の運用を、規制して実行する運用規制実行部とを備える
現金取引装置。
【請求項２】
前記運用除外部は、障害発生を起こした前記取引モジュールおよび／または現金補充を要する前記取引モジュールを前記現金取引の運用から除外する請求項１に記載の現金取引装置。
【請求項３】
前記運用規制実行部は、前記代替え可能な前記取引モジュールに保管済みの現金の多寡に基づいて前記現金取引の運用を規制して実行する請求項１または請求項２に記載の現金取引装置。
【請求項４】
請求項３に記載の現金取引装置であって、
前記取引モジュールは、複数の金種の現金を保管し、
前記運用規制実行部は、前記代替え可能な前記取引モジュールに保管済みの金種ごとの現金の多寡に基づいて前記現金取引の運用を規制する
現金取引装置。
【請求項５】
前記運用規制実行部は、前記金種ごとの現金の多寡に基づいて前記現金取引の運用を規制するに当たり、一回の現金取引における取引対象金種の取引制限を課す請求項４に記載の現金取引装置。
【請求項６】
請求項１ないし請求項５のいずれかに記載の現金取引装置であって、
前記取引モジュールは、前記現金取引としての硬貨両替の運用のために包装硬貨を複数の金種ごとに保管し、
前記運用規制実行部は、前記代替え可能な前記取引モジュールを用いた前記硬貨両替の運用を規制して実行する
現金取引装置。
【請求項７】
請求項１ないし請求項６のいずれかに記載の現金取引装置であって、
更に、報知部を備え、
該報知部は、前記運用規制実行部によってなされた前記現金取引の運用規制の内容を報知する、現金取引装置。
【請求項８】
前記運用除外部は、前記現金取引の運用を前記取引モジュールに対して禁止する運用禁止制御を受けて、或いは、前記現金取引の運用からの前記取引モジュールの物理的な除外を受けて、前記少なくとも一つの取引モジュールを前記現金取引の運用から除外する請求項１ないし請求項７のいずれかに記載の現金取引装置。
【発明の詳細な説明】
【技術分野】
【０００１】
本発明は、現金取引を行う現金取引装置、詳しくは、現金取引の運用のために現金を保管する取引モジュールを用いた現金取引に関する。
【背景技術】
【０００２】
この種の現金取引装置は、例えば金融機関等のロビーやキャッシュコーナーに設置される入出金装置（以下、ＡＴＭとも称する）や、紙幣の硬貨両替を行う貨幣取引装置として多用されている。そして、入出金や両替を所望するユーザーの利便性向上を図るため、種々の手法が提案されている（例えば、特許文献１等）。
【先行技術文献】
【特許文献】
【０００３】
【特許文献１】特開２００８−１９２０９８号公報
【特許文献２】特開平５−１４３８２２号公報
【０００４】
これら特許文献では、貨幣収納トレーや紙幣カセットを金種ごとに複数用意した上で、貨幣収納トレーや紙幣カセットを金種ごとに区別して、装置稼働中の残金管理を図っている。そして、こうした残金管理により、現金補充を必要とする金種ごとの貨幣収納トレーや紙幣カセットを装置稼働中に検知し、その検知された貨幣収納トレーや紙幣カセットに装置稼働中に現金補充をして交互に利用することで、取引装置の運用継続性を高めつつ、ユーザーの利便性も高めている。
【発明の概要】
【発明が解決しようとする課題】
【０００５】
ところで、補充検知された紙幣カセット等に対しての実際の現金補充が行われる間においては、残余の紙幣カセット等に保管済み紙幣に限られた現金取引となる。しかしながら、上記した特許公報で提案された手法では、こうした状況への対処が十分とは言えず、現金補充がなされるまで残余の紙幣カセット等での現金取引の運用継続に支障が出ることが危惧される。
【０００６】
本発明は、上述した従来の課題の少なくとも一部を解決するためになされたものであり、現金取引装置の運用の継続性をより高めることを目的とする。
【課題を解決するための手段】
【０００７】
本発明は、上述の課題の少なくとも一部を解決することを目的としてなされたものであり、以下の構成を採用した。
【０００８】
[適用１：現金取引装置]
現金取引を行う現金取引装置であって、
現金取引の運用のために現金を保管する複数の取引モジュールを、前記現金取引の運用からそれぞれ個別に除外可能として備えた上で、
前記複数の取引モジュールのうちの少なくとも一つの取引モジュールを前記現金取引の運用から除外する運用除外部と、
前記現金取引の運用から除外されなかった前記取引モジュールのうち、前記除外された前記取引モジュールと代替え可能な前記取引モジュールを用いた前記現金取引の運用を、規制して実行する運用規制実行部とを備える
ことを要旨とする。
【０００９】
上記構成を備える現金取引装置では、現金取引の運用のために現金を保管する複数の取引モジュールを用いた現金取引を行うに当たり、少なくとも一つの取引モジュールが現金取引の運用から除外されると、除外されない取引モジュールを運用対象とする。その上で、現金取引の運用から除外されなかった取引モジュールのうち、前記除外された前記取引モジュールと代替え可能な前記取引モジュールを用いた現金取引に際しては、その運用を規制して実行する。このため、上記構成を備える現金取引装置によれば、その規制を満たした現金取引の運用の継続性を高めることができる。こうした規制を受けるとはいえ、規制を満たした現金取引については、これをユーザーに継続して提供できるので、ユーザーの利便性を損なわないようにできる。この場合、前記運用除外部により前記少なくとも一つの取引モジュールが前記現金取引の運用から除外されていない間は、複数の取引モジュールの全てを用いて現金取引を運用できる。また、前記除外された前記取引モジュールと代替え不可の取引モジュールについては、これを規制することなく現金取引の運用に供することができる。
【００１０】
上記した現金取引装置は、次のような態様とすることができる。例えば、障害発生を起こした前記取引モジュールおよび／または現金補充を要する前記取引モジュールを前記現金取引の運用から除外するようにできる。こうすれば、障害復旧までの間、或いは現金補充完了までの間における現金取引の運用の継続性を確保できる。
【００１１】
また、前記代替え可能な前記取引モジュールに保管済みの現金の多寡に基づいて前記現金取引の運用を規制して実行するようにできる。こうすれば、保管済み現金の実情に併せてきめ細かい運用規制が可能となり、その分、運用の継続性を高めることができる。ユーザーに対しても、実情に合わせた運用を提供でき、利便性を損なわないようにできる。
【００１２】
また、前記取引モジュールについては、これを複数の金種の現金を保管するものとした上で、前記代替え可能な前記取引モジュールに保管済みの金種ごとの現金の多寡に基づいて前記現金取引の運用を規制するようにできる。こうすれば、保管済み金種ごとの現金の実情に併せてより一層のきめ細かい運用規制が可能となるので、運用の継続性の向上とユーザーに対する実情に合わせた運用提供に寄与できる。
【００１３】
この場合、前記金種ごとの現金の多寡に基づいて前記現金取引の運用を規制するに当たり、一回の現金取引における取引対象金種の取引制限を課すようにできる。こうすれば、取引対象金種の取引制限、例えばある金種もしくは全ての金種について一回で取引できる最大取引金額を制限したり、ある金種については最大取引枚数（本数）に制限を加えたり、取引不可に制限すると言った種々の取引制限により、運用の継続性の更なる向上とユーザーに対する実情に合わせた運用提供を図ることができる。
【００１４】
また、前記取引モジュールについては、これを前記現金取引としての硬貨両替の運用のために包装硬貨を複数の金種ごとに保管するものとした上で、前記代替え可能な前記取引モジュールを用いた前記硬貨両替の運用を規制して実行するようにできる。こうすれば、硬貨両替という現金取引に関して、上記した運用の継続性向上等を図ることができる。なお、こうした硬貨を筒状に包装した包装硬貨を両替可能とした両替取引における上記した取引対象金種の取引制限としては、代替え可能な取引モジュールが保管したそれぞれの金種の包装硬貨について一回で取引できる金種ごとの最大取引金額の制限や当該金額に対応した包袋硬貨の本数（最大本数）の制限の他、ある金種の包袋硬貨については両替取引不可に制限することなどが含まれる。
【００１５】
また、更に、報知部を備えるようにした上で、この報知部により、前記運用規制実行部によってなされた前記現金取引の運用規制の内容を報知するようにできる。こうすれば、運用規制の内容、例えば、上記した保管済み現金の実情に併せたきめ細かい運用規制の内容を報知できるので、ユーザーに対しては、運用規制を予め伝えることで、ユーザーの所望する取引の継続の可否を容易に認知でき、利便性を高めることができる。その一方、現金補充を行う保守要員に報知すれば、その報知を受けた保守要員は、取引モジュールの運用除外に伴う運用規制内容を認知できる。このため、例えば、現金補充を要する取引モジュールの決定や当該モジュールの運用除外を保守要員が行うような場合には、取引モジュールの運用除外に伴う運用規制内容を予め認知することで、状況に応じた現金補充の取引モジュールの決定・除外を実行でき、その後の取引運用の継続確保の上から望ましい。
【図面の簡単な説明】
【００１６】
【図１】本発明の実施例としての自動両替装置１の正面側概観図である。
【図２】この自動両替装置１の背面をその扉を開けた状態で示す背面側外観図である。
【図３】包装硬貨処理部１２を概略的に斜視にて示す説明図である。
【図４】自動両替装置１の電気的な構成を概略的に示すブロック図である。
【図５】金種別トレー２５の概略構成を示す斜視図である。
【図６】装着状態の金種別トレー２５とバケット２３との関係を示す説明図である。
【図７】金種別トレー２５からバケット２３への包装硬貨放出の様子を示す説明図である。
【図８】昇降するバケット２３と各段の金種別トレー２５との関係を示す説明図である。
【図９】金種別トレー２５の装着と退避を図るためのトレー収納機構を示す説明図である。
【図１０】自動両替装置１における両替取引処理の手順を示すフローチャートである。
【図１１】トレー引出禁止処理の手順を示すフローチャートである。
【図１２】主制御部１７からの包装硬貨の出金指令を受けた包装硬貨処理部１２の制御部２７が行う包装硬貨出金処理の手順を示すフローチャートである。
【図１３】主制御部１７が制御部２７と共同して行う包装硬貨補充処理の手順を示すフローチャートである。
【図１４】保守要員向けの初期表示制御による係員パネル部１４の第１表示画面を示す説明図である。
【図１５】保守要員向けの初期表示制御による係員パネル部１４の第２表示画面を示す説明図である。
【図１６】保守要員向けの初期表示制御による係員パネル部１４の第３表示画面を示す説明図である。
【図１７】保守要員向けの２次表示制御による係員パネル部１４の第１表示画面を示す説明図である。
【図１８】保守要員向けの２次表示制御による係員パネル部１４の第２表示画面を示す説明図である。
【図１９】補充対象モジュール（運用除外硬貨モジュール）の選択タイミングとユーザーによる両替取引の実行タイミングとの関係を示す説明図である。
【図２０】運用除外指令待機の際の保守要員向けの係員パネル部１４の表示画面を示す説明図である。
【図２１】運用除外指令に対応した係員パネル部１４の表示画面を示す説明図である。
【図２２】一方の硬貨モジュールを取引運用から除外した場合のユーザー向け表示の例を示す説明図である。
【図２３】硬貨補充完了または継続補充タイミングとユーザーによる両替取引の実行タイミングとの関係を示す説明図である。
【図２４】変形例の包装硬貨処理部１２を概略的に斜視にて示す説明図である。
【発明を実施するための形態】
【００１７】
以下、本発明の実施の形態について、その実施例を図面に基づき説明する。図１は本発明の実施例としての自動両替装置１の正面側概観図、図２はこの自動両替装置１の背面をその扉を開けた状態で示す背面側外観図である。
【００１８】
図１に示すように、自動両替装置１は、タッチパネル２と、紙幣入出金口３と、硬貨取出口４と、包装硬貨取出口５と、カード挿入口６と、明細票取出口７と、取引状態表示部８を備える。タッチパネル２は表示部と操作部を兼ねており、ユーザーへの案内表示を行い、ユーザーから操作を受け付ける。ユーザーは、タッチパネル２の表示を見ながら両替に関する種々の指定、例えば、所望する両替総額や、所望する硬貨金種等を指定する。タッチパネル２は、こうしたユーザー操作を受けて、両替開始の旨や上記した種々の指示を後述の主制御部１７に送信する。
【００１９】
紙幣入出金口３と硬貨取出口４および包装硬貨取出口５は、タッチパネル２のユーザー操作を受けてそれぞれ次のように所定の機能を果たす。紙幣入出金口３は、シャッターの開閉を経てユーザーの紙幣の投入（紙幣受入）、並びにユーザーへの紙幣放出に関与する。本実施例の自動両替装置１は、高額紙幣を低額紙幣および硬貨に両替することを想定していることから、ユーザーからの硬貨受入は不要である。よって、硬貨取出口４と包装硬貨取出口５は、共にユーザーへの硬貨放出に関与すればよく、シャッターの開閉を経て、硬貨取出口４は両替されたバラ硬貨をユーザーに放出し、包装硬貨取出口５は両替された包装硬貨をユーザーに放出する。ここで包装硬貨は硬貨を一定枚数重ねて柱状に包装したものであり、「棒金」とも呼ばれる。カード挿入口６は、ユーザーからのカード（例えば、両替カードや顧客カード）の挿入を受け、明細票取出口７は、取引の明細票をユーザーに放出する。取引状態表示部８は、自動両替装置１の状態が取引運用中か、あるいは取引中止状態であるかを表示する。なお、上記したタッチパネル２の案内表示や紙幣入出金口３等のシャッターの開閉は、後述の主制御部１７により制御される。
【００２０】
図２に示すように、自動両替装置１は、その背面側に背面扉１８を開閉自在に備え、当該扉と装置筐体内に、紙幣処理部１１と、包装硬貨処理部１２と、バラ硬貨処理部１３と、係員パネル部１４とを備える。紙幣処理部１１は紙幣の取込み、鑑別、搬送、繰出し等を行なう。包装硬貨処理部１２は包装硬貨の鑑別、搬送、放出等を行なう。図３は包装硬貨処理部１２を概略的に斜視にて示す説明図である。図示するように、包装硬貨処理部１２は、互いに切離し、結合可能な構造を持ったフィーダ部２１とワゴン部２２から構成される。フィーダ部２１は、自動両替装置１における包装硬貨取出口５（図１参照）の下方に位置し、包装硬貨処理部１２が担う包装硬貨の鑑別や搬送、放出等のうち、包装硬貨の搬送・放出機能を果たす。つまり、このフィーダ部２１は、昇降式のバケット２３を備え、ワゴン部２２が有する後述の金種別トレー２５から包装硬貨を１本ずつこのバケット２３に受け取り、その受け取った包装硬貨を、包装硬貨取出口５の下方の包装硬貨取出口２４まで搬送してその放出に関与する。
【００２１】
ワゴン部２２は、本願における取引モジュールの一具体例を構成し、左列包装硬貨モジュール２２Ｌと右列包装硬貨モジュール２２Ｒとを備える。この左右の包装硬貨モジュールは、それぞれ多段に金種別トレー２５を備え、各段の金種別トレー２５に金種ごとの包装硬貨を両替取引のために保管する。多段に並ぶ金種別トレー２５は、それぞれ傾斜して配設され、その傾斜により包装硬貨をトレー前端側、詳しくは上記したフィーダ部２１のバケット２３の側に転動させる。また、金種別トレー２５は、各段ごとに保管する包装硬貨の金種が設定されており、本実施例では、上から２段目までの金種別トレー２５は、所定本数の１円の包装硬貨を保管収納する。３段目と４段目の金種別トレー２５は５円の包装硬貨を、５段目から７段目の金種別トレー２５は１０円の包装硬貨を、８段目と９段目の金種別トレー２５は５０円の包装硬貨を、１０段目から１２段目の金種別トレー２５は１００円の包装硬貨を、１３段目と１４段目の金種別トレー２５は５００円の包装硬貨を、それぞれの金種ごとの所定本数ずつ保管収納する。なお、金種ごとの金種別トレー２５の段数は、自動両替装置１の設置環境に応じて種々変更可能である。例えば、商店街であれば、比較的少額の釣り銭用硬貨の両替の所望頻度が高く、住宅地域では高額硬貨への両替要望が高いと想定されるので、こうしたことを考慮して金種別トレー２５の段数や、金種ごとのトレー段数の振り分けを行うようにすることもできる。
【００２２】
上記した左列包装硬貨モジュール２２Ｌと右列包装硬貨モジュール２２Ｒの両包装硬貨モジュールは、一体となってワゴン部２２を構成するものの、後述する引出禁止ソレノイド３３等による包装硬貨の払出一時停止を経て、両替取引の運用からソフト的或いはハード的にそれぞれ個別に除外可能とされている。この運用除外については、引出禁止ソレノイド３３等との関連から後述する。また、左列包装硬貨モジュール２２Ｌと右列包装硬貨モジュール２２Ｒの両包装硬貨モジュールは、それぞれの金種別トレー２５にて共に包装硬貨を両替取引の運用のために保管することから、両替取引の運用においては、一方の硬貨モジュールは他方の硬貨モジュールと代替え可能となる。その一方、紙幣処理部１１については、紙幣払出機構のソフト的或いはハード的な停止により、両替取引の運用から除外可能ではあるものの、両替取引のために保管する現金の種別が相違するので、具体的には紙幣を保管するので、両替取引の運用においては、左列包装硬貨モジュール２２Ｌ或いは右列包装硬貨モジュール２２Ｒと代替え不可となる。
【００２３】
図２に示したバラ硬貨処理部１３は硬貨の鑑別、搬送、放出等を行なう。このバラ硬貨処理部１３についても、バラ硬貨払出機構のソフト的或いはハード的な停止により、両替取引の運用から除外可能ではあるものの、両替取引のためにバラ硬貨を保管するので、両替取引の運用においては、左列包装硬貨モジュール２２Ｌ或いは右列包装硬貨モジュール２２Ｒと代替え不可となる。係員パネル部１４は操作部と表示部とを兼ねており、例えば、紙幣や硬貨の補充や回収、あるいは自動両替装置１のメンテナンスの際に銀行の係員等によって操作される。例えば、銀行の係員等（以下、これらを総称して、適宜、保守要員と称する）が背面扉１８を開けて係員パネル部１４を操作すると、その操作内容によって、自動両替装置１は、その一切の両替取引の運用が中止となる取引中止状態とされたり、後述するように両替取引の運用を一部規制した運用継続状態とされる。
【００２４】
この取引中止は、例えば天災や人災等により或いは装置全体の異常発生により、一時的に一切の取引を中止せざるを得ないような場合が想定され、両替取引の規制運用は、後述する不足硬貨補充の場合や装置の一部箇所の故障（例えば、一部の包袋硬貨出金機構の故障等）の場合が想定される。そして、取引中止状態となると、取引状態表示部８およびタッチパネル２（図１参照）の表示が取引中の表示から取引中止の表示に変わる。この取引中止の原因が取り除かれると、保守要員による係員パネル部１４での復旧完了操作を経て、自動両替装置１は取引状態となり、取引状態表示部８およびタッチパネル２は、その表示を取引中止表示から取引表示に変える。その一方、硬貨補充や装置一部箇所の故障により両替取引の運用を一部規制した運用継続状態では、取引状態表示部８およびタッチパネル２の表示は取引表示のままである。この場合の両替取引の一部規制の様子やタッチパネル２の表示の詳細については後述する。なお、包装硬貨処理部１２の後面にも扉を設け、当該扉を開けて包装硬貨の補充などの操作を保守要員が行う構成としてもよい。
【００２５】
ここで、自動両替装置１による両替取引の大まかな流れについて説明する。ユーザーによりカード挿入口６（図１参照）にカードが挿入されると、タッチパネル２は、取引開始キーを含む案内表示を行う。ユーザーによる取引開始キーの押圧操作を経て両替取引が開始され、まず、自動両替装置１は、紙幣入出金口３のシャッターを開け、紙幣入出金口３へのユーザーからの紙幣が投入を待つ。紙幣が投入されると、図２に示す紙幣処理部１１は、投入済みの紙幣の取り込み・鑑別・計数を行う。自動両替装置１は、タッチパネル２に両替可能な金種と数量を表示する。なお、上記した両替取引の規制運用の際の表示については後述する。タッチパネル２のユーザー操作により両替金種および数量が指定されると、自動両替装置１は指定された両替金種および数量に従い、紙幣処理部１１や、包装硬貨処理部１２、バラ硬貨処理部１３を用いて両替金の繰出し、鑑別、搬送を行なう。次に、自動両替装置１は紙幣入出金口３、硬貨取出口４、包装硬貨取出口５から両替金を放出する。また、自動両替装置１は明細票取出口７から取引の明細票を放出する。
【００２６】
次に、自動両替装置１の電気的な構成と各部の詳細な機器構成について説明する。図４は自動両替装置１の電気的な構成を概略的に示すブロック図である。図示するように、自動両替装置１は、すでに説明したタッチパネル２、紙幣処理部１１、包装硬貨処理部１２、バラ硬貨処理部１３、係員パネル部１４の他に、カード処理部１５と、帳票処理部１６と、主制御部１７を備える。カード処理部１５はカード挿入口６（図１）に挿入されたカードの読み取り処理を行う。帳票処理部１６は取引等の明細票を発行する。なお、明細票は明細票取出口７（図１参照）から放出される。主制御部１７は、論理演算を実行するＣＰＵと、データを不揮発的に記憶するＲＯＭ、データを一時的に記憶するＲＡＭ等を備えたいわゆるコンピューターとして構成され、後述する両替取引処理を含め、自動両替装置１全体の動作を制御する。例えば、主制御部１７は、タッチパネル２および係員パネル部１４に対して案内表示や入力受付の指令を表示し、カード処理部１５に対してカードの受付・読込み・返却等を指示し、紙幣処理部１１に対して入金・出金等を指示し、包装硬貨処理部１２・バラ硬貨処理部１３に対して出金等を指示し、帳票処理部１６に対して明細票の印刷等を指示する。
【００２７】
包装硬貨処理部１２は、その機構的な構成（図３参照）は既述した通りであり、電気的には、フィーダ部２１に制御部２７を備える。この制御部２７にあっても、主制御部１７と同様、論理演算を実行するＣＰＵと、データを不揮発的に記憶するＲＯＭ、データを一時的に記憶するＲＡＭ等を備えたいわゆるコンピューターとして構成される。そして、制御部２７は、主制御部１７とデータの通信を行いつつ、この主制御部１７と共同して後述する両替取引処理を実行し、当該処理における包装硬貨処理部１２の側の機器制御を担う。例えば、制御部２７は、主制御部１７から包装硬貨の出金指令を受け取ると、ＲＡＭに記憶済みの金種別トレー２５の各トレー毎の包装硬貨の格納本数に基づいて、出金するトレーと本数を決定する。そして、バケット２３を昇降制御して出金する当該トレーに順次移動させ、出金する本数分を金種別トレー２５から繰出してバケット２３に集積し、出金要求分がすべてバケット２３に揃えば、バケット２３を包装硬貨取出口２４まで移動させる。この場合、主制御部１７の側で、金種別トレー２５の各トレー毎の包装硬貨の格納本数に基づいて、出金するトレーと本数を決定することもできる。
【００２８】
包装硬貨処理部１２は、ワゴン部２２に、金種別トレー２５と、引出禁止ピン３１と、引出禁止レバー３２と、引出禁止ソレノイド３３と、包装硬貨検知センサー４１と、トレー装着センサー４２とを備え、これらを制御部２７に接続してその制御下に置く。包装硬貨検知センサー４１は、図３に示した左列包装硬貨モジュール２２Ｌと右列包装硬貨モジュール２２Ｒに属する各段の金種別トレー２５について、その装着状態、具体的には装着済みの状態と硬貨補充・異常復旧のために取り外し状態とを検知する。トレー装着センサー４２は、左右の両包装硬貨モジュールに含まれる各段の金種別トレー２５に保管済みの包装硬貨の本数をトレーごとに検知する。以下、金種別トレー２５での包装硬貨保管とその放出、包装硬貨検知センサー４１やトレー装着センサー４２による検知の様子について説明する。
【００２９】
図５は金種別トレー２５の概略構成を示す斜視図、図６は装着状態の金種別トレー２５とバケット２３との関係を示す説明図、図７は金種別トレー２５からバケット２３への包装硬貨放出の様子を示す説明図である。
【００３０】
図５に示すように、金種別トレー２５は、その側面に包装硬貨検知センサー４１を長手方向に沿って複数備え、当該センサーにて、保管済み包装硬貨３０の本数を検知する。この検知本数は制御部２７に送信される。金種別トレー２５は、左列包装硬貨モジュール２２Ｌと右列包装硬貨モジュール２２Ｒ（図３参照）の各モジュールに装着された状態では、図６に示すように、そのトレー先端をバケット２３に臨ませる。トレー装着センサー４２は、上記のように装着済みの金種別トレー２５に対してそのトレー先端に位置することから、金種別トレー２５の装着状態（装着或いは非装着）を検知し、その結果を制御部２７に送信する。
【００３１】
図７（Ａ）に示すように、左列包装硬貨モジュール２２Ｌと右列包装硬貨モジュール２２Ｒの両包装硬貨モジュールの金種別トレー２５のそれぞれが硬貨両替の運用に供されている場合、両包装硬貨モジュールの金種別トレー２５は、共にバケット２３の側にトレー先端を位置させ、装着状態となる。この装着状態は、既述したトレー装着センサー４２に検知され、金種別トレー２５からバケット２３への包装硬貨３０の放出に向けた原位置となる。そして、金種別トレー２５からの包装硬貨３０の放出は、その放出対象の金種別トレー２５が図７（Ｂ）に示すように包装硬貨３０の一つ分だけバケット２３に対してオーバーハングするよう前進し、この前進により包装硬貨３０の放出が可能となる。放出後、金種別トレー２５は既述した原位置に復帰する。上記した金種別トレー２５の原位置からの進退は、図示しないトレー進退機構により実施される。この場合、上記左右の両包装硬貨モジュールの金種別トレー２５からは、ユーザーの希望する本数の包装硬貨が左右トレーからの放出本数が略均等になるように放出される。その一方、上記両包装硬貨モジュールの一方のモジュール、例えば左列包装硬貨モジュール２２Ｌに属する金種別トレー２５において包装硬貨不足が生じたり、障害が発生すると、硬貨不足或いは障害発生の金種別トレー２５を含む硬貨モジュール、例えば左列包装硬貨モジュール２２Ｌが両替取引の運用から除外される（図７（Ｃ））。この場合、運用除外は硬貨モジュール単位でなされるが、それぞれの金種別トレー２５の退避は、硬貨不足或いは障害発生を起こしたトレーについてなされる。そして、障害の復旧処理完了時、或いは硬貨補充動作完了時においては、金種別トレー２５は硬貨放出ができるよう再装着されて図７（Ａ）に示すに示す原位置に復帰すると共に、運用除外とされていた包装硬貨モジュールについても、改めて両替取引の運用に供される。なお、運用除外がなされた場合の両替取引の運用については、後述する。
【００３２】
上記した金種別トレー２５からバケット２３への包装硬貨３０の放出は、主制御部１７の制御を受けて実行される。図８は昇降するバケット２３と各段の金種別トレー２５との関係を示す説明図である。図示するように、フィーダ部２１は、バケット２３を昇降自在に備えるほか、このバケット２３に、半回転可能なアーム部２３ａをワゴン部２２と左列包装硬貨モジュール２２Ｌに対応して個別に備える。そして、このアーム部２３ａと図７（Ｂ）で説明したように金種別トレー２５を進退させるトレー進退機構とが共同して、金種別トレー２５のトレー最先端側に位置する包装硬貨３０を一本ずつ取り出してバケット２３の中に取り込む。これにより、バケット２３への包装硬貨３０の放出がなされる。この場合、トレー進退機構によるトレー進退は、放出対象となる金種別トレー２５についてのみ、行われる。このように、アーム部２３ａとトレー進退機構とにより金種別トレー２５からバケット２３への硬貨放出がなされるので、アーム部２３ａとトレー進退機構とを駆動制御、具体的には駆動制御実行と非実行とにより、金種別トレー２５を有する左列包装硬貨モジュール２２Ｌと右列包装硬貨モジュール２２Ｒの両包装硬貨モジュールを両替取引の運用に供したり、当該運用から除外できる。
【００３３】
図９は金種別トレー２５の装着と退避を図るためのトレー収納機構を示す説明図である。図示するように、金種別トレー２５を収納する各段のトレー収納レーンには、金種別トレー２５のトレー先端と係合する引出禁止ピン３１が配設され、当該ピンは、引出禁止レバー３２を介して引出禁止ソレノイド３３と係合されている。制御部２７は、通常、全ての金種別トレー２５を装着状態において硬貨両替に供するべく、各段のトレー収納レーンにおける引出禁止ソレノイド３３を制御して引出禁止ピン３１を金種別トレー２５と係合させる。これにより、各段の金種別トレー２５は、退避不可となり、装着状態を維持する。その一方、保守要員から硬貨補充・障害復旧の指示を受けると、制御部２７は、その指示に適った金種別トレー２５の退避（図７（Ｂ））を図るべく、当該トレーが収納されているトレー収納レーンにおける引出禁止ソレノイド３３を制御して引出禁止ピン３１と金種別トレー２５の係合を解く。これにより、係合が解かれた金種別トレー２５は、装着状態から退避可能となる。なお、本実施例では、トレーの引き出し禁止機構として、上記したようにワゴン部２２内部の各段のトレー収納レーンに設けた引出禁止ソレノイド３３によるトレー引き出しロック機構を設けた構成で説明したが、金種別トレー２５の引き出しを、他の制御器機のソフト制御を経て禁止する、もしくはハード的に禁止する構造とすることもできる。
【００３４】
制御部２７は、トレー装着状態をトレー装着センサー４２のセンシングを経て常時監視し、金種別トレー２５ごとにその装着・非装着（退避中）の検出結果をＲＡＭに更新記憶する。この他、制御部２７は、装着状態にある金種別トレー２５について、トレーごとの既述した包装硬貨検知センサー４１のセンシングを経て、包装硬貨の保管本数を常時監視し、金種別トレー２５ごとの包装硬貨の保管本数をＲＡＭに更新記憶する。ＲＡＭの記憶結果は、以下に説明する両替取引運用制御の各処理にて読み出され、取引処理に用いられる。
【００３５】
図１０は自動両替装置１における両替取引処理の手順を示すフローチャートである。この両替取引処理は、主制御部１７にて実行され、処理の必要に応じて包装硬貨処理部１２における制御部２７とも共同して実行される。つまり、主制御部１７と制御部２７は、その有するＣＰＵ等や以下に説明する各種処理のプログラムにより、本発明における運用除外部や、運用規制実行部を構築する。
【００３６】
図１０に示す両替取引処理は、図１のカード挿入口６へのユーザーによるカード挿入或いはタッチパネル２におけるユーザーによる両替開始操作により実行され、主制御部１７は、まずカード処理部１５に対してカード読取を指令する（ステップＳ１）。カード処理部１５は、この指令を受けてカードからカード情報を読み取り、その読み取り結果を主制御部１７に送信する。主制御部１７は、送信を受けたカード情報に基づいて、両替取引の可否を判定し、取引可能であれば、紙幣処理部１１に対して両替元金の入金を指令する（ステップＳ２）。紙幣処理部１１は、この指令を受けて紙幣入出金口３のシャッターを開放してユーザーに紙幣入金を促す。そして、紙幣入金があると、紙幣処理部１１は、シャッターを閉鎖すると共に、入金紙幣の金額読み取りや真贋判別なども行う。
【００３７】
主制御部１７は、上記した入金指令に先だち、タッチパネル２に両替取引に必要な案内、例えば、取引実行のボタン（両替開始ボタン）を表示する。その一方、挿入されたカードが取引不可であれば、主制御部１７は、その旨の表示、例えば「このカードではお取引ができません。窓口までお越し下さい。」等の案内をタッチパネル２に表示し、カード挿入待機の状態に戻す。カードを使用しないカード無し両替の場合は、上記したようなタッチパネル２の案内表示により、ユーザーから両替取引の指示を受け、ステップＳ２に移行する。
【００３８】
主制御部１７は、続くステップＳ３にて、包装硬貨処理部１２に対して全てのトレーを引出禁止にするよう指令する。図１１はトレー引出禁止処理の手順を示すフローチャートである。図示するように、包装硬貨処理部１２の制御部２７は、主制御部１７からの上記した引出禁止指令を受け取ると（ステップＳ１１）、全ての段のトレー収納レーンの引出禁止ソレノイド３３（図８参照）を駆動して引出禁止ピン３１を金種別トレー２５に係合させる（ステップＳ１２）。これにより、左列包装硬貨モジュール２２Ｌと右列包装硬貨モジュール２２Ｒの両包装硬貨モジュールに属する全ての金種別トレー２５は、制御指令およびこれを受けたハード機器駆動を経て、引き出し禁止（退避不能）とされる。この引出禁止の状態において、金種別トレー２５からの包装硬貨の放出が可能となる。そして、後述の包装硬貨補充処理に際しては、このステップＳ３における金種別トレー２５の引出禁止は、左列包装硬貨モジュール２２Ｌまたは右列包装硬貨モジュール２２Ｒの硬貨モジュールごとに解除される。
【００３９】
続くステップＳ４で、主制御部１７は、紙幣処理部１１が読み取った入金紙幣（両替元金）の金額をタッチパネル２に表示し、両替取引の受付けを指令する。つまり、主制御部１７は、上記した両替元金金額の表示と共に、両替金種の種別指定と金種ごとの金額指定をユーザーから受けるに必要な表示を行い、ユーザーの所望する両替内容、即ち両替取引に必要な両替情報を入手する。主制御部１７は、こうして必要な情報をユーザーから入手すると、ユーザーの所望する両替取引を運用すべく、紙幣処理部１１、包装硬貨処理部１２、バラ硬貨処理部１３に対して両替金の出金指令を行うとともに、帳票処理部１６に対して取引明細の印字指令を送る（ステップＳ５）。両替金の出金指令に伴う両替取引（包袋硬貨出金処理）の詳細については、後述する。
【００４０】
両替金が全て正常に出金され、取引明細も正常に印字されると、次に主制御部１７は、紙幣処理部１１、包装硬貨処理部１２、バラ硬貨処理部１３に対して両替金のユーザーによる抜取待ちを指令すると共に、帳票処理部１６に対してのユーザーによる取引明細の抜取待ちとカード処理部１５に対してのユーザーによるカードの抜き取り待ちとを指令する（ステップＳ６）。そして、利用客がすべての両替金と取引明細およびカードを抜取ると、主制御部１７は、紙幣処理部１１に対して両替元金の収納・保管を指令し（ステップＳ７）、両替取引が終了する。紙幣処理部１１は、この指令を受けて、両替元金紙幣を処理部内の紙幣ボックスに搬送して保管する。こうして保管された両替元金紙幣のうち、１０００円、５０００円の金種紙幣は、１万円札紙幣をこれら少額金種紙幣に両替する場合や、これら少額金種紙幣とバラ硬貨および包装硬貨とを含んだ両替取引に用いられる。
【００４１】
次に、主制御部１７からの包装硬貨の出金指令を受けた包装硬貨出金処理について説明する。図１２は主制御部１７からの包装硬貨の出金指令を受けた包装硬貨処理部１２の制御部２７が行う包装硬貨出金処理の手順を示すフローチャートである。
【００４２】
図示するように、この包装硬貨出金処理で、包装硬貨処理部１２の制御部２７は、主制御部１７から包装硬貨出金指令を受け取ると（ステップＳ２１）、制御部２７におけるＲＡＭに記憶済みの金種別トレー２５ごとの包装硬貨３０の保管本数を読出し、どの金種別トレー２５から何本の包装硬貨３０を放出するかを決定する（ステップＳ２２）。この場合、包装硬貨３０の保管本数の読出により、それぞれの金種別トレー２５に保管済みの現金の多寡、および左列包装硬貨モジュール２２Ｌと右列包装硬貨モジュール２２Ｒの硬貨モジュール単位での保管済み現金の多寡が判明する。上記した決定に際しては、左列包装硬貨モジュール２２Ｌに属するそれぞれの金種別トレー２５と、右列包装硬貨モジュール２２Ｒに属するそれぞれの金種別トレー２５とが区別され、左列包装硬貨モジュール２２Ｌと右列包装硬貨モジュール２２Ｒの各硬貨モジュールごとに硬貨放出の対象となる金種別トレー２５と包装硬貨本数が決定される。また、ユーザーから入手した両替取引の内容、例えば、包装硬貨３０の指定金種やその指定金額についても、上記したトレー決定に当たって参酌される。
【００４３】
次に、包装硬貨処理部１２は、ステップＳ２２で決定した出金予定の金種別トレー２５に対して、引出禁止ソレノイド３３を引出禁止にセット（ステップＳ２３）する。この引出禁止によるソレノイド制御は、図１１に示したステップＳ１２と同じであり、これにより、ステップＳ２２で決定した出金予定の金種別トレー２５は、引出禁止ピン３１との係合を経て、引き出し禁止（退避不能）とされ、硬貨放出が可能となる。このように金種別トレー２５を引出禁止とすることで、両替取引の運用中において、出金予定の金種別トレー２５が不用意に抜き取られてしまうような障害を防止することができる。
【００４４】
続くステップＳ２４で、制御部２７は、最初の出金予定の金種別トレー２５の位置にバケット２３を昇降駆動してセットし、当該の金種別トレー２５からステップＳ２２で決定した本数の包装硬貨３０をバケット２３に放出して集積する（ステップＳ２５／図７（Ａ）参照）。この包装硬貨３０の放出に当たっては、バケット２３に付属の既述したアーム部２３ａ（図８参照）と図７（Ｂ）で説明したトレー進退機構とが駆動制御される。出金予定の金種別トレー２５から正常に包装硬貨３０の放出が完了すると、包装硬貨３０の放出済み金種別トレー２５への包装硬貨の補充に備え、制御部２７は、包装硬貨放出済み金種別トレー２５をトレー進退機構により図７（Ｂ）に示す原位置に復帰させた上で退避可能とすべく（図７（Ｃ）参照）、当該トレーの引出禁止ソレノイド３３を引出許可側にセットして（ステップＳ２６）、引出禁止ピン３１と金種別トレー２５との係合を解く。その後、現在出金中の金種の包装硬貨を決定済み本数だけ全て放出したか否かを判定する（ステップＳ２７）。この判定は、以下の理由で行う。
【００４５】
既述したように、包袋硬貨は、その金種ごとに複数の金種別トレー２５に多段に保管され（図３、図８参照）、金種ごとの金種別トレー２５は、左列包装硬貨モジュール２２Ｌと右列包装硬貨モジュール２２Ｒごとに用意されている。そして、ステップＳ２２では、左列包装硬貨モジュール２２Ｌと右列包装硬貨モジュール２２Ｒの各硬貨モジュールごとに硬貨放出の対象となる金種別トレー２５と包装硬貨本数を決定することから、ステップＳ２４にて最初の出金予定とした金種別トレー２５だけでは、ユーザー所望の包装硬貨本数を満たせない場合がある。例えば、ユーザーがある金種の包袋硬貨を３０本所望する場合、ステップＳ２２で、左列包装硬貨モジュール２２Ｌと右列包装硬貨モジュール２２Ｒについてある段の金種別トレー２５からそれぞれ１０本、両包装硬貨モジュールにおけるその他の段の金種別トレー２５からそれぞれ５本を取り出すように均等に本数決定したとする。そうすると、ステップＳ２４にて最初の出金予定とした段の金種別トレー２５だけでは、左右列の硬貨モジュールで合計２０本しか包装硬貨を放出して集積できない（ステップＳ２５）。よって、ステップＳ２７の判定を経て、更に出金すべき金種別トレー２５があると否定判定した場合は、ステップＳ３０に移行して次の出金予定の金種別トレー２５にバケット２３を移動させ、ステップＳ２５に移行することで、上記した他の段の金種別トレー２５からの包装硬貨の放出とその集積を行うようにできる。
【００４６】
ステップＳ２７で現在出金中の金種の包装硬貨を決定済み本数だけ全て放出したと肯定判定した場合は、その金種の包装硬貨の補充に備え、制御部２７は、出金完了した金種の包装硬貨を保管する金種別トレー２５を退避可能とすべく、当該トレー収納の段のトレー収納レーンの引出禁止ソレノイド３３（図８参照）を引出可能側にセットして（ステップＳ２８）、引出禁止ピン３１と金種別トレー２５との係合を解く。なお、ステップＳ２６にて、包装硬貨放出の都度に引出禁止ソレノイド３３（図８参照）を引出可能側にセットしているので、ステップＳ２８については、省略することができるが、フェールセーフの意味でステップＳ２８を実行する。
【００４７】
続くステップＳ２９では、ユーザーが所望する両替取引における両替対象の全金種の包装硬貨について、その決定済み本数（要求本数）だけ全て放出したか否かを判定する。ここで否定判定すれば、既述したステップＳ３０に移行して次の出金予定の金種についての金種別トレー２５にバケット２３を移動させた後、ステップＳ２５に移行して上記処理を繰り返す。これにより、両替対象の全金種の包装硬貨についての要求本数分の放出が完了すれば、制御部２７は、ステップＳ２９での肯定判定を経て、バケット２３を包装硬貨取出口２４まで上昇駆動してセットして（ステップＳ３１）、本ルーチンを終了する。
【００４８】
主制御部１７は、上記した包装硬貨出金処理と並行して、紙幣処理部１１を用いた紙幣両替出金も行う。つまり、ユーザーの所望する両替取引が、高額紙幣を低額紙幣と包装硬貨との混在両替である場合、ユーザー所望の包装硬貨の金種とその本数については、上記した包装硬貨出金処理に沿ってその出金を行い、低額紙幣については、包装硬貨処理部１２とは別に紙幣処理部１１を両替取引の運用に供する。後述するように、包装硬貨処理部１２による包装硬貨の出金は、左列包装硬貨モジュール２２Ｌ或いは右列包装硬貨モジュール２２Ｒの一方の運用除外により規制されるが、紙幣処理部１１とバラ硬貨処理部１３については、こうした包装硬貨モジュールの運用除外に拘わらず継続して両替取引に運用されることになる。
【００４９】
次に、自動両替装置１における包装硬貨補充の様子について説明する。図１３は主制御部１７が制御部２７と共同して行う包装硬貨補充処理の手順を示すフローチャートである。図示するように、主制御部１７は、包装硬貨処理部１２の制御部２７からの補充通知の有無をスキャンする（ステップＳ４１）。この補充通知は、制御部２７にて所定のスパンで繰り返し作成され、作成の都度、主制御部１７に送信される。制御部２７は、既述したように金種別トレー２５ごとの包装硬貨検知センサー４１により、常時、それぞれの金種別トレー２５、詳しくは、左列包装硬貨モジュール２２Ｌに属するそれぞれの金種別トレー２５、および右列包装硬貨モジュール２２Ｒに属するそれぞれの金種別トレー２５について、保管済み包装硬貨３０の本数をＲＡＭに更新記憶する。そして、制御部２７は、それぞれの金種別トレー２５についての最新の包装硬貨３０の保管本数が、例えば、金種ごとの補充必要規定本数を下回ると、補充通知を主制御部１７に送信する。この他、この補充通知は、自動両替装置１での両替取引の実際の運用状況を学習することにより、生成することができる。例えば、商店街や飲食店街等に設置された自動両替装置１では、両替取引の運用がなされる頻度や一回の両替取引における金種種別、金種ごとの包装硬貨本数が、時間帯ごと或いは曜日ごと等によって相違する。よって、主制御部１７或いは制御部２７にて、こうした運用状況を学習して、その学習結果と現時点での実際の金種ごとの包装硬貨３０の保管本数（即ち、保管現金の多寡）により、補充通知を生成するようにすることもできる。こうすれば、自動両替装置１の運用実情にあった補充通知を生成できる。
【００５０】
主制御部１７は、上記した補充通知を受けると、その旨の信号を自動両替装置１の管理機器、例えば、自動両替装置１の設置銀行の管理コンピューターや、ネットワークを介して自動両替装置１とデータ送受信可能な管理コンピューターに送信するようにできる。こうすれば、管理コンピューターの側で、硬貨補充のための保守要員の補充作業手配を行うことができる。そして、補充通知信号と共に、制御部２７にて読み取り済みの左右の包装硬貨モジュールにそれぞれ属する金種別トレー２５についての保管済み包装硬貨３０の本数（保管現金の多寡）を管理コンピューターに送信すれば、これを受けた管理コンピューターにて、硬貨補充のために搬送する包装硬貨の補充必要本数も保守要員に伝達できる。
【００５１】
上記した補充通知を受けると（ステップＳ４１の肯定判定）、主制御部１７は、係員パネル部１４に対しての初期表示制御を行う（ステップＳ４２）。この初期表示制御による表示により、硬貨補充を行う保守要員に必要な操作を促すことができる。図１４は保守要員向けの初期表示制御による係員パネル部１４の第１表示画面を示す説明図、図１５は保守要員向けの初期表示制御による係員パネル部１４の第２表示画面を示す説明図、図１６は保守要員向けの初期表示制御による係員パネル部１４の第３表示画面を示す説明図である。
【００５２】
このステップＳ４２では、まず図１４に示す第１表示画面を表示する。この場合、ステップＳ４１での補充通知の入力時期と、保守要員による実際の硬貨補充作業開始時期とには時間差があるので、図１４の第１表示画面の表示は、保守要員による背面扉１８（図１参照）の開放に併せて行えばよい。なお、保守要員による硬貨補充とこの際の背面扉１８の開放は、自動両替装置１の背面側であるいわゆるバックヤード側での作業であるので、自動両替装置１は、保守要員に背面扉１８が開放されても、両替取引の運用を従前通りに行う。
【００５３】
保守要員は、図１４の第１表示画面を見て、係員処理と表示されたボタンを押圧する。主制御部１７は、この係員処理ボタン５１をフラッシュ表示や着色表示等の強調表示することにより、保守要員の操作をより明確に指示するようにできる。主制御部１７は、係員処理ボタン５１の押圧を受け、係員パネル部１４に図１５に示す第２表示画面を表示し、当該画面に含まれる作業指示ボタンのうちで硬貨補充に導く現金処理ボタン５２を強調表示する。保守要員によりこの現金処理ボタン５２が押圧されると、主制御部１７は、係員パネル部１４の表示を図１６に示す第３表示画面に変更する。この画面では、包装硬貨随時補充ボタン５３が強調表示される。なお、強調表示を行わないようにもできる（以下、同じ）。
【００５４】
上記した初期表示制御において包装硬貨随時補充ボタン５３が保守要員に押圧されると、主制御部１７は、係員パネル部１４の２次表示制御と保守要員のボタン操作に応じた包装硬貨補充のための機器制御指令を行う（ステップＳ４３）。係員パネル部１４の２次表示制御による係員パネル部１４の画面表示を経て、保守要員は硬貨補充作業が実質的に開始され、その際の保守要員のボタン操作に応じて、図１２に示した包装硬貨出金処理が後述するように規制される。図１７は保守要員向けの２次表示制御による係員パネル部１４の第１表示画面を示す説明図、図１８は保守要員向けの２次表示制御による係員パネル部１４の第２表示画面を示す説明図である。
【００５５】
このステップＳ４３では、まず図１７に示す第１表示画面を表示する。主制御部１７は、この第１表示画面において、包装硬貨随時補充の円滑化を図るための種々の表示を行い、この随時補充の補充モードを規定するレーン単位ボタン５４と、金種単位ボタン５５と、エンドトレーボタン５６と、実行ボタン５７と、金種別トレーごとの包装硬貨セット状況一覧５８とを表示する。本実施例の自動両替装置１は、レーン単位での補充モード（レーン補充モード）と、金種単位での補充モード（金種単位補充モード）と、エンドトレー単位での補充モード（エンドトレー単位補充モード）の３つの補充モードでの包装硬貨補充を可能とする。
【００５６】
レーン補充モードは、上記した左列包装硬貨モジュール２２Ｌと右列包装硬貨モジュール２２Ｒのいずれかの硬貨モジュール単位で包装硬貨を補充し、その際には、補充単位の硬貨モジュールに含まれる金種別トレー２５のうちで包装硬貨補充の余地がある金種別トレー２５について対応金種の包装硬貨を補充するモードである。金種単位補充モードは、ある金種の包装硬貨を保管する金種別トレー２５について、左右の硬貨モジュールに拘わらず包装硬貨を補充するモードである。例えば、１００円の包装硬貨を搭載した金種別トレー２５のうちで包装硬貨補充の余地がある金種別トレー２５について対応金種（１００円）の包装硬貨を補充するモードである。エンドトレー単位補充モードは、金種別トレー２５に残留する包袋硬貨の本数がエンド状態、例えば残留硬貨本数がゼロであったり残留硬貨本数が一回の両替取引で通常必要となる本数を下回ったニアエンド状態の金種別トレー２５について、左右の硬貨モジュールに拘わらず包装硬貨を補充するモードである。このように、本実施例の自動両替装置１は上記３つの補充モードでの包装硬貨補充を可能とするが、硬貨補充の際の両替取引の運用の継続性を確保すべく、レーン単位モードが通常の補充モードとなるよう初期設定されている。このため、主制御部１７は、レーン単位ボタン５４については、これを強調表示する。なお、金種単位補充モードとエンドトレー補充モードでの硬貨補充は、保守要員によるボタン操作により実行されるが、本発明の要旨と直接関係しないので、その詳細については説明を省略する。
【００５７】
実行ボタン５７は、上記したレーン単位ボタン５４と金種単位ボタン５５或いはエンドトレーボタン５６のいずれかを保守要員が押圧すると有効となり、主制御部１７は、この実行ボタン５７の押圧を受けて、更なる表示制御を行う。包装硬貨セット状況一覧５８は、上記した左列包装硬貨モジュール２２Ｌと右列包装硬貨モジュール２２Ｒのそれぞれに属する金種別トレー２５について、各トレーにおける残留硬貨本数を示している。この残留硬貨本数は、制御部２７からのスキャン結果が表示される。包装硬貨セット状況一覧５８における空欄は、保管可能な本数と同等の包装硬貨が保管されていることを示し、エンド表示は、例えば残留硬貨本数がゼロであったり残留硬貨本数が一回の両替取引で通常必要となる本数を下回った状態を示している。
【００５８】
保守要員は、図１７の第１表示画面を見て、レーン単位ボタン５４に続いて実行ボタン５７を押圧する。主制御部１７は、上記の両ボタンの連続した押圧操作を受け、係員パネル部１４に図１８に示す第２表示画面を表示する。主制御部１７は、この第２表示画面において、既述した実行ボタン５７と包装硬貨セット状況一覧５８の他、左列包装硬貨モジュール２２Ｌの選択ボタン（左ボタン５９）と、右列包装硬貨モジュール２２Ｒの選択ボタン（右ボタン６０）と、運用規制一覧６１とを表示する。運用規制一覧６１は、左列包装硬貨モジュール２２Ｌと右列包装硬貨モジュール２２Ｒのうち、左列包装硬貨モジュール２２Ｌが両替取引の運用から除外された場合、現状の右列包装硬貨モジュール２２Ｒにおけるそれぞれの金種別トレー２５に保管済みの包装硬貨で両替取引を運用する場合の規制内容を上段に表示する。一方、右列包装硬貨モジュール２２Ｒが両替取引の運用から除外された場合、現状の左列包装硬貨モジュール２２Ｌにおけるそれぞれの金種別トレー２５に保管済みの包装硬貨で両替取引を運用する場合の規制内容を下段に表示する。
【００５９】
この運用規制一覧６１における規制内容表示のうち、出金量規制は、両替取引に運用する金種、具体的には左右の各硬貨モジュールに属する金種別トレー２５ごとの保管金種である１円、５円、１０円、５０円、１００円、５００円の各金種について、一回で取引できる最大取引本数を規制していることを示す。主制御部１７は、この出金量規制（各金種についての最大取引本数）を、図１８の包装硬貨セット状況一覧５８に表示された現状の包装硬貨ごとの保管本数（残金多寡）に基づいて、例えば、５本、１０本、２０本等といった具合に定める。金種規制は、上記した金種の中のある金種について一回で取引できる最大取引本数を規制していることを示す。主制御部１７は、この金種規制（ある金種についての最大取引本数）を、規制していることを示す。主制御部１７は、この金種規制についても、図１８の包装硬貨セット状況一覧５８に表示された現状の包装硬貨ごとの保管本数（残金多寡）に基づいて、例えば、５本、１０本、２０本等といった具合に定める。この場合、最大取引金額を上記の包装硬貨ごとの保管本数（残金多寡）に基づいて規定することもできる。こうした規制を行うに当たっては、上記した残金多寡に加え、自動両替装置１での両替取引の実際の運用状況（例えば、一回の両替取引で多用される包装硬貨本数）を、例えば既述した設置場所ごと、或いは時間帯や曜日ごと等に応じて学習して、その学習結果を加味して運用を規制するようにすることもできる。こうすれば、自動両替装置１の運用実情にあった運用規制を課すことができる。
【００６０】
本実施例の自動両替装置１では、硬貨補充の際の両替取引の運用の継続性を確保すべく、上記した規制の緩い方でのレーン単位モードが通常の補充モードとなるよう初期設定されている。よって、図１８に示す規制では、運用規制一覧６１の下段の方が一種類の規制で緩いことから、主制御部１７は、運用規制一覧６１における下段表示と右ボタン６０の表示を強調表示する。この場合、こうした強調表示を行うことなく、運用規制一覧６１の表示や包装硬貨セット状況一覧５８の表示により、保守要員に左ボタン５９と右ボタン６０の選択を委ねるようにすることもできる。
【００６１】
図１８において右ボタン６０と実行ボタン５７の両ボタンが押圧される以前までの保守要員の作業は、既述したようにバックヤードで行われ、ユーザーによる実際の両替取引の運用とは無関係である。その一方、保守要員による右ボタン６０と実行ボタン５７の押圧は、包装硬貨の補充対象として右列包装硬貨モジュール２２Ｒを選択し、この右列包装硬貨モジュール２２Ｒを硬貨補充のために両替取引の運用から除外することを意味する。上記のボタン操作は、既述したようにバックヤードで行なわれるものであることから、このボタン操作を経た選択タイミング（右列包装硬貨モジュール２２Ｒの運用除外開始タイミング）は、ユーザーによる両替取引の運用中となることも有り得る。よって、主制御部１７は、図１８の画面表示までを制御するステップ４３の実行後は、右ボタン６０と実行ボタン５７の両ボタンの保守要員による押圧を待機し、当該押圧操作されたタイミングがユーザーによる両替取引運用中か否かを判定する（ステップＳ４４）。以下、説明の便宜上、保守要員により右ボタン６０と実行ボタン５７が続けて押圧されて、右列包装硬貨モジュール２２Ｒを補充対象モジュール（運用除外硬貨モジュール）とした場合について説明する。図１９は補充対象モジュール（運用除外硬貨モジュール）の選択タイミングとユーザーによる両替取引の実行タイミングとの関係を示す説明図である。
【００６２】
図１８の右ボタン６０と実行ボタン５７とが押圧された補充対象モジュール（運用除外硬貨モジュール）の選択タイミングは、図１９に例示するように、ユーザーによる両替取引の運用中、或いは、両替取引がなされていない期間のいずれかとなる。ここで、上記の選択タイミングがユーザーによる両替取引の運用中であれば、ステップＳ４４では肯定判定されて、主制御部１７は、続くステップＳ４５にて、今現在なされている両替取引が終了するまで、包装硬貨補充のための運用除外指令を待機させる。この待機の間においては、図１２に示した包装硬貨出金処理が実行中であるため、主制御部１７は、当該処理に支障を来さないようにしつつ運用除外待機の実効性を高めるため、左列包装硬貨モジュール２２Ｌと右列包装硬貨モジュール２２Ｒの両包装硬貨モジュールに属する全ての金種別トレー２５に対し、引出禁止ソレノイド３３を引出禁止にセットする。この引出禁止によるソレノイド制御は、図１１に示したステップＳ１２と同じであり、これにより、両包装硬貨モジュールに属する全ての金種別トレー２５は、引出禁止ピン３１との係合を経て、引き出し禁止（退避不能）とされる。このように全ての金種別トレー２５を引出禁止とすることで、両替取引の運用中において、金種別トレー２５が不用意に抜き取られて方向硬貨の補充作業が処理されてしまうような障害を防止することができる。ところで、両替取引の運用中には、図１２に示した包装硬貨出金処理のステップＳ２３で引出禁止とされるが、当該ステップでの対象トレーは、出金予定の金種別トレー２５である。
【００６３】
また、主制御部１７は、上記した運用除外指令待機の間において、その待機の旨を保守要員に認知すべく、係員パネル部１４を表示制御する。図２０は運用除外指令待機の際の保守要員向けの係員パネル部１４の表示画面を示す説明図である。図示するように、主制御部１７は、報知欄６２の表示を行って、現在はユーザーによる両替取引の運用であるために、今現在なされている両替取引が終了するまで包装硬貨補充を待機するように、保守要員に注意を促す。ステップＳ４５の運用除外指令待機は、現在の両替取引が終了してから次の両替取引に備えたアイドル期間に解除され、その解除を経て、運用除外指令とこれに伴う機器制御および運用規制内容の表示制御を行う（ステップＳ４６）。
【００６４】
その一方、図１８の右ボタン６０と実行ボタン５７の両ボタンの保守要員による押圧操作による上記の選択タイミングが両替取引がなされていない期間内であるとステップＳ４４にて否定判定した場合は、ステップＳ４６に移行して、以下に説明する運用除外指令とこれに伴う機器制御を行う。つまり、ユーザーの両替取引が行われていない場合は、速やかに、運用除外指令とこれに伴う機器制御および運用規制内容の表示制御を行うことになる。図２１は運用除外指令に対応した係員パネル部１４の表示画面を示す説明図である。
【００６５】
主制御部１７は、ステップＳ４６にて運用除外指令とこれに伴う機器制御および運用規制内容の表示制御を行う。そして、運用除外指令とこれに伴う機器制御に際して、図２１に示す画像を保守要員に提供して、その保守要員に、現時点から、図２０で選択した右列包装硬貨モジュール２２Ｒの補充必要な金種別トレー２５についての硬貨補充を開始できる旨を認知させ、補充を促す。この場合、主制御部１７は、図２１に示す画像表示と共に、或いはこれに先だって、右列包装硬貨モジュール２２Ｒに属する全ての金種別トレー２５について、ステップＳ４５でなしたトレー引出禁止を解除すると共に、右列包装硬貨モジュール２２Ｒに属する金種別トレー２５からバケット２３への包装硬貨放出を禁止する。
【００６６】
このトレー引出禁止の解除は、図９に示す引出禁止ソレノイド３３を解除側に駆動させて、右列包装硬貨モジュール２２Ｒに属する全ての金種別トレー２５を図７（Ｂ）に示すように退避可能とする。この退避可能と図２１の画像表示を受けて、保守要員は、今回の硬貨補充対象である右列包装硬貨モジュール２２Ｒに含まれる金種別トレー２５のうちで包装硬貨補充の余地がある金種別トレー２５について、これを引き出した上で対応金種の包装硬貨を補充し、補充後には金種別トレー２５を装着する。保守要員は、硬貨補充の余地を、図２１に含まれる包装硬貨セット状況一覧５８の表示にて確認できる。包装硬貨処理部１２の制御部２７は、常時、金種別トレー２５における包装硬貨の保管本数を包装硬貨検知センサー４１にてスキャンしているので、上記した硬貨補充の際にあっては、金種別トレー２５の装着を経て、図２１における包装硬貨セット状況一覧５８の表示本数は随時更新される。
【００６７】
また、右列包装硬貨モジュール２２Ｒに属する金種別トレー２５からバケット２３への包装硬貨放出の禁止は、図８に示すアーム部２３ａとトレー進退機構とを、右列包装硬貨モジュール２２Ｒの側については、駆動禁止するような機器制御でなされる。つまり、ステップＳ４５では、引出禁止ソレノイド３３の駆動制御を介したトレー引出禁止解除と、アーム部２３ａとトレー進退機構の駆動制御を介した駆動禁止とを経て、右列包装硬貨モジュール２２Ｒは、いわゆるソフト的に両替取引の運用から除外されることになる。そして、こうして運用除外された右列包装硬貨モジュール２２Ｒでは、その属する金種別トレー２５について、図１２の包装硬貨出金処理における包装硬貨放出対象から外れ、当該出金処理は、その運用が規制されることになる。つまり、こうして右列包装硬貨モジュール２２Ｒが両替取引の運用から除外された以降は、当該硬貨モジュールと代替え可能な左列包装硬貨モジュール２２Ｌのみが両替取引の運用に継続して用いられることになる。そして、左列包装硬貨モジュール２２Ｌによる両替運用の際の運用規制内容は、図１８の運用規制一覧６１に示されたものとなる。
【００６８】
上記したようにして右列包装硬貨モジュール２２Ｒが運用から除外されると、主制御部１７は、ステップＳ４６において、その運用規制内容をタッチパネル２（図１参照）に表示する。つまり、主制御部１７は、図１８で説明したように、包装硬貨セット状況一覧５８に表示された左列包装硬貨モジュール２２Ｌについての現状の包装硬貨ごとの保管本数（残金多寡）に基づいた、現状の左列包装硬貨モジュール２２Ｌだけでの両替取引の運用の規制内容をタッチパネル２に表示する。その内容は、既述したように、一回で取引できる各金種についての最大取引本数を規制する内容であったり、ある金種について一回で取引できる最大取引本数を規制する内容である。つまりは、図１８の運用規制一覧６１に示した規制内容を、ユーザー向けにタッチパネル２にて提示する。この場合、ある金種については出金不可となるように規制したり、最大取引金額を規制することもできる。図２２は一方の硬貨モジュールを取引運用から除外した場合のユーザー向け表示の例を示す説明図である。この図２２の表示は、既述したように、ユーザーによる両替取引の運用中の硬貨補充であれば、現在の両替取引が終了してから次の両替取引に備えたアイドル期間において行われ、ユーザーの両替取引が行われていない場合は、速やかに表示される。そして、硬貨補充が完了するまで、アイドルの都度にタッチパネル２に表示される。こうした規制内容の提示を受けるユーザーは、その内容に適った範囲での両替取引を行うことができる。
【００６９】
保守要員が硬貨補充を行っている間において、係員パネル部１４では、上記したステップＳ４６により図２１の画像表示がなされている。保守要員は、硬貨補充の作業を完了させると終了ボタン６３を押圧し、今まで補充対象であった右列包装硬貨モジュール２２Ｒに代わって左列包装硬貨モジュール２２Ｌについても硬貨補充を行う場合には、補充継続ボタン６４を押圧する。よって、主制御部１７は、この両ボタンの押圧状況をスキャンし（ステップＳ４７）、そのスキャン結果に応じた処理を継続する。
【００７０】
ステップＳ４６を経て開始された保守要員による硬貨補充作業に要する時間は、補充対象となる包装硬貨の金種やその総数により、或いは、上記した補充継続によりその都度相違する。よって、主制御部１７は、硬貨補充作業の完了タイミングとユーザーによる両替取引の運用との関係を把握すべく、終了ボタン６３と補充継続ボタン６４の操作の有無を判定し（ステップＳ４７）、これらボタン操作があるまでステップＳ４６の処理を継続する。これにより、硬貨補充であった右列包装硬貨モジュール２２Ｒの運用除外は継続され、左列包装硬貨モジュール２２Ｌでの両替取引の運用が図２２に示した規制の範囲内で継続されることになる。
【００７１】
ステップＳ４７においていずれかのボタン操作があると判定すると、当該押圧操作されたタイミングがユーザーによる両替取引運用中か否かを判定する（ステップＳ４８）。図２３は硬貨補充完了または継続補充タイミングとユーザーによる両替取引の実行タイミングとの関係を示す説明図である。
【００７２】
図２１の終了ボタン６３と補充継続ボタン６４のいずれかが押圧された硬貨補充完了または継続補充のタイミングは、図２３に例示するように、ユーザーによる両替取引の運用中、或いは、両替取引がなされていない期間のいずれかとなる。ここで、上記のタイミングがユーザーによる両替取引の運用中であれば、ステップＳ４８では肯定判定されて、主制御部１７は、続くステップＳ４９にて、今現在なされている両替取引が終了するまで、包装硬貨補充後の両替取引の運用への復帰指令を待機させる。この待機の間においては、図１２に示した包装硬貨出金処理が実行中であるため、主制御部１７は、当該処理に支障を来さないようにしつつ運用復帰待機の実効性を高めるべく、それまで運用除外されていた硬貨モジュール（例えば、右列包装硬貨モジュール２２Ｒ）に属する全ての金種別トレー２５に対し、引出禁止ソレノイド３３を引出禁止にセットする。この引出禁止によるソレノイド制御は、図１１に示したステップＳ１２と同じであり、それまで運用除外されていた硬貨モジュールに属する全ての金種別トレー２５は、引出禁止ピン３１との係合を経て、改めて引き出し禁止（退避不能）とされる。これにより、既述したように両替取引の運用中における不用意なトレー抜き取りとこれに続く包装硬貨補充を防止できる。このステップＳ４９の運用復帰指令待機は、現在の両替取引が終了してから次の両替取引に備えたアイドル期間に解除され、その解除を経て、以下の運用復帰指令とこれに伴う機器制御を行う（ステップＳ５０）。
【００７３】
その一方、図２１の終了ボタン６３と補充継続ボタン６４のいずれかが保守要員に押圧された硬貨補充完了または継続補充のタイミングが両替取引がなされていない期間内であるとステップＳ４８にて否定判定した場合は、ステップＳ５０に移行して、以下に説明する運用復帰指令とこれに伴う機器制御を行う。つまり、ユーザーの両替取引が行われていない場合は、速やかに、運用復帰指令とこれに伴う機器制御を行うことになる。
【００７４】
主制御部１７は、ステップＳ５０にて運用復帰指令とこれに伴う機器制御に際して、主制御部１７は、包装硬貨の補充が完了した右列包装硬貨モジュール２２Ｒに属する全ての金種別トレー２５について、改めてトレー引出禁止を指令すると共に、右列包装硬貨モジュール２２Ｒに属する金種別トレー２５からバケット２３への包装硬貨放出を許可する。このトレー引出禁止は、図９に示す引出禁止ソレノイド３３を禁止側に駆動させて、右列包装硬貨モジュール２２Ｒに属する全ての金種別トレー２５を図７（Ａ）に示すように退避不可とする。
【００７５】
また、右列包装硬貨モジュール２２Ｒに属する金種別トレー２５からバケット２３への包装硬貨放出の許可は、図８に示すアーム部２３ａとトレー進退機構とを、右列包装硬貨モジュール２２Ｒの側については、駆動制御するような機器制御でなされる。つまり、ステップＳ５０では、引出禁止ソレノイド３３の駆動制御を介したトレー引出禁止と、アーム部２３ａとトレー進退機構の駆動制御を介した駆動とを経て、右列包装硬貨モジュール２２Ｒは、いわゆるソフト的に両替取引の運用に復帰する。そして、これ以降においては、左列包装硬貨モジュール２２Ｌと右列包装硬貨モジュール２２Ｒの両包装硬貨モジュールにて両替取引の運用が継続されることになる。
【００７６】
主制御部１７は、ステップＳ５０に続き、保守要員の押圧操作したボタンが終了ボタン６３と補充継続ボタン６４のいずかであったかを判定するステップＳ５１）。保守要員が補充継続ボタン６４を押圧すれば、硬貨補充されなかった貨幣モジュール、上記の場合は左列包装硬貨モジュール２２Ｌについても硬貨補充を行うべく、再度の運用除外とこれに伴う制御が必要であるとして、ステップＳ４４に移行し、処理を繰り返す。その一方、終了ボタン６３の操作であれば、硬貨補充は完了したとして、ステップＳ５２に移行して、今回の硬貨補充履歴をＲＡＭに記憶して包装硬貨補充処理を終了する。
【００７７】
以上説明したように、本実施例の自動両替装置１では、包装硬貨への両替取引を運用するに当たり、代替え可能な左列包装硬貨モジュール２２Ｌと右列包装硬貨モジュール２２Ｒとを、それぞれ個別に両替取引の運用から除外可能とする。そして、一方の包装硬貨モジュールを取引運用から除外すると、他方の包装硬貨モジュールにて包装硬貨への両替取引の運用を継続する。その上で、本実施例の自動両替装置１では、右列包装硬貨モジュール２２Ｒを運用から除外した場合、運用から除外されなかった一方の包装貨幣モジュールである左列包装硬貨モジュール２２Ｌを用いた両替取引に際しては、その運用を規制して実行する（ステップＳ４１〜５２）。このため、本実施例の自動両替装置１によれば、その規制を満たした両替取引の運用の継続性を高めることができる。こうした規制を受けるとはいえ、規制を満たした両替取引については、これをユーザーに継続して提供できるので、ユーザーの利便性を損なわないようにできる。この場合、自動両替装置１は、紙幣処理部１１を備え、この紙幣処理部１１については、右列包装硬貨モジュール２２Ｒや左列包装硬貨モジュール２２Ｌとの代替え不可であることから、運用を規制することなく両替取引（小額紙幣両替）の運用に供することができる。バラ硬貨処理部１３についても、紙幣処理部１１と同様である。
【００７８】
そして、本実施例の自動両替装置１によれば、硬貨補充が必要な場合に、上記したように左列包装硬貨モジュール２２Ｌと右列包装硬貨モジュール２２Ｒの一方を運用から除外するので、硬貨補充が完了するまで、継続して両替取引を運用できる。この場合、左列包装硬貨モジュール２２Ｌと右列包装硬貨モジュール２２Ｒの一方に何らかの機器障害が生じるとその運用を除外するようにでき、こうすれば、障害復旧までの間においても両替取引を継続して運用できる。
【００７９】
また、本実施例の自動両替装置１では、運用から除外されなかった包装貨幣モジュール、例えば左列包装硬貨モジュール２２Ｌを用いた両替取引に際しては、この左列包装硬貨モジュール２２Ｌに現実に保管済みの包装硬貨の多寡に基づいて、最大放出本数や総量、金額、放出不可金種等の規制を課して、両替取引を運用する。よって、現実の保管済み包装硬貨の実情に併せてきめ細かい運用規制が可能となり、その分、運用の継続性を高めることができる。ユーザーに対しても、実情に合わせた運用を提供でき、利便性を損なわないようにできる。この場合、硬貨の種別ごとの保管済み現金の多寡に基づいて、一回の現金取引における取引対象金種の取引制限を硬貨種別ごとに行うこともできるので、一層のきめ細かい運用規制が可能となり（図２２参照）、運用の継続性の向上とユーザーに対する実情に合わせた運用提供に寄与できる。
【００８０】
また、本実施例の自動両替装置１では、タッチパネル２に運用規制の内容を表示して、規制内容をユーザーに認知させる。よって、ユーザーは、両替取引に際して、現状の運用規制の内容を把握した上で、両替取引の継続の可否を容易に認知でき、利便性を高めることができる。その一方、現金補充を行う保守要員に対しても、図１８の運用規制一覧６１にて規制内容を認知する。よって、保守要員は、図１８の表示を見ながら現金補充を要する左右の貨幣モジュールの決定や当該モジュールの運用除外を、規制内容を踏まえて状況に応じて実行できるので、作業性の向上をもたらすことができる。
【００８１】
上記した実施例では、左列包装硬貨モジュール２２Ｌと右列包装硬貨モジュール２２Ｒの運用除外を、図１３に示したステップＳ４５〜４６による駆動機器制御を経て行ったが、これをハード的に行うようにすることもできる。図２４は変形例の包装硬貨処理部１２を概略的に斜視にて示す説明図である。この変形例では、左列包装硬貨モジュール２２Ｌと右列包装硬貨モジュール２２Ｒをワゴン部２２の筐体部位から取り外し可能に構成して備える。このため、硬貨補充を保守要員が行う際には、いずれか一方の硬貨モジュールをモジュールごと取り外し、その状態で当該モジュールの金種別トレー２５に硬貨を補充できる。こうすれば、ハード的な運用除外を図ることができる。なお、左列包装硬貨モジュール２２Ｌと右列包装硬貨モジュール２２Ｒのいずれの硬貨モジュールが取り外されて運用から除外されたかは、リミットスイッチ等のセンシング機器にて容易に判別できる。
【００８２】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。例えば、上記の実施例では、ワゴン部２２に左列包装硬貨モジュール２２Ｌと右列包装硬貨モジュール２２Ｒの二つの硬貨モジュールを設けた構成としたが、３つ以上の硬貨モジュールを代替え可能に有するものとすることもできる。また、保管した紙幣を両替や払出に用い、紙幣の複数の保管モジュールを代替え可能に有するように構成することもできる。
【符号の説明】
【００８３】
１…自動両替装置
２…タッチパネル
３…紙幣入出金口
４…硬貨取出口
５…包装硬貨取出口
６…カード挿入口
７…明細票取出口
８…取引状態表示部
１１…紙幣処理部
１２…包装硬貨処理部
１３…バラ硬貨処理部
１４…係員パネル部
１５…カード処理部
１６…帳票処理部
１７…主制御部
１８…背面扉
２１…フィーダ部
２２…ワゴン部
２２Ｌ…左列包装硬貨モジュール
２２Ｒ…右列包装硬貨モジュール
２３…バケット
２３ａ…アーム部
２４…包装硬貨取出口
２５…金種別トレー
２７…制御部
３０…包装硬貨
３１…引出禁止ピン
３２…引出禁止レバー
３３…引出禁止ソレノイド
４１…包装硬貨検知センサー
４２…トレー装着センサー
４３…ステップ
５１…係員処理ボタン
５２…現金処理ボタン
５３…包装硬貨随時補充ボタン
５４…レーン単位ボタン
５５…金種単位ボタン
５６…エンドトレーボタン
５７…実行ボタン
５８…包装硬貨セット状況一覧
５９…左ボタン
６０…右ボタン
６１…運用規制一覧
６２…報知欄
６３…終了ボタン
６４…補充継続ボタン
【図１】
0005484294.tif 000002
【図２】
0005484294.tif 000003
【図３】
0005484294.tif 000004
【図４】
0005484294.tif 000005
【図５】
0005484294.tif 000006
【図６】
0005484294.tif 000007
【図７】
0005484294.tif 000008
【図８】
0005484294.tif 000009
【図９】
0005484294.tif 000010
【図１０】
0005484294.tif 000011
【図１１】
0005484294.tif 000012
【図１２】
0005484294.tif 000013
【図１３】
0005484294.tif 000014
【図１４】
0005484294.tif 000015
【図１５】
0005484294.tif 000016
【図１６】
0005484294.tif 000017
【図１７】
0005484294.tif 000018
【図１８】
0005484294.tif 000019
【図１９】
0005484294.tif 000020
【図２０】
0005484294.tif 000021
【図２１】
0005484294.tif 000022
【図２２】
0005484294.tif 000023
【図２３】
0005484294.tif 000024
【図２４】
0005484294.tif 000025